(57)【要約】【課題】大量の排液をスムーズに行うとともに、日常的な洗浄作業も容易な排液ロートを提供する。【解決手段】排液を受ける内側ロートと、外側ロートと、内側ロートを外側ロートの内側に保持する保持具とから構成される排液ロートであって、内側ロートが、排液を排出する内側管部と、該内側管部よりも大きい径を有する内側胴部と、内側管部から内側胴部に向けて拡径しつつ内側管部と内側胴部とを接続する内側拡径部とからなり、外側ロートが、外側管部と、該外側管部よりも大きい径を有する外側胴部と、外側管部から外側胴部に向けて拡径しながら外側管部と外側胴部とを接続する外側拡径部とからなり、内側胴部と外側胴部との間に隙間が形成されていることを特徴とする排液ロート。【選択図】図１
2019013371.tif 000002
【特許請求の範囲】
【請求項１】
排液を受ける内側ロートと、外側ロートと、前記内側ロートを前記外側ロートの内側に保持する保持具とから構成される排液ロートであって、
前記内側ロートが、前記排液を排出する内側管部と、該内側管部よりも大きい径を有する内側胴部と、前記内側管部から前記内側胴部に向けて拡径しつつ前記内側管部と前記内側胴部とを接続する内側拡径部とからなり、
前記外側ロートが、外側管部と、該外側管部よりも大きい径を有する外側胴部と、前記外側管部から前記外側胴部に向けて拡径しながら前記外側管部と前記外側胴部とを接続する外側拡径部とからなり、
前記内側胴部と前記外側胴部との間に隙間が形成されていることを特徴とする排液ロート。
【請求項２】
前記保持具が前記隙間の断面を覆う、請求項１に記載の排液ロート。
【請求項３】
前記外側胴部に通気孔が設けられている、請求項１または２に記載の排液ロート。
【請求項４】
前記内側ロートが、前記外側ロートと前記保持具との係合によって保持されている、請求項１〜３のいずれかに記載の排液ロート。
【請求項５】
前記内側ロートが、前記外側ロートの内側に着脱可能に保持されている、請求項１〜４のいずれかに記載の排液ロート。
【請求項６】
前記内側管部と前記外側管部との間に複数の突起が設けられている、請求項１〜５のいずれかに記載の排液ロート。
【請求項７】
前記内側管部と前記外側管部とで挟まれる部分の断面積が、前記内側管部で囲まれる部分の断面積に等しい、請求項１〜６のいずれかに記載の排液ロート。
【請求項８】
前記保持具が、前記排液を導入する排液導入管を前記内側ロートの内側に保持する、請求項１〜７のいずれかに記載の排液ロート。
【請求項９】
前記排液が、血液透析装置のプライミング工程で排出されるプライミング排液であり、前記内側管部から排出された前記排液が前記血液透析装置の主排液ラインに合流する、請求項１〜８のいずれかに記載の排液ロート。
【発明の詳細な説明】
【技術分野】
【０００１】
本発明は、血液透析装置の排液ラインのチューブ等に接続される排液ロートに関する。
【背景技術】
【０００２】
血液浄化治療を開始する前に、医療スタッフによって「プライミング」と呼ばれる工程が行われる。プライミングとは、治療を受ける患者のための血液浄化器（ダイアライザー）と血液回路とを組立てて、プライミング液を充填する作業である。このプライミング工程の主な目的は、プライミング液で血液浄化器や血液回路の内部の異物を洗浄した後、さらにプライミング液を充填して空気を除去することであるが、さらに、血液浄化器と血液回路に異常がないことを、治療開始前に確認できるという効果もある。
【０００３】
例えば特許文献１に記載されるように、血液透析装置には、プライミング工程で洗浄に使用されたプライミング液を排水するための「プライミングロート」を装備することがある。プライミングロートは、施設設備の主排液ラインから、主排液ラインからの逆流を防止するための逆止弁を介して分岐され、各透析装置まで延びた個別の排液ラインのチューブの末端に接続される。なお、個別の排液ラインには、内径１０〜２０ｍｍ程度のシリコン製チューブが用いられることが多く、プライミングロート本体は透析装置のサイドポールに、操作性の良い高さで固定される。
【０００４】
従来、プライミング液には、バッグ入りの生理食塩水を１０００ ｍＬ程度使用していたが、近年は、洗浄効率の向上や、コスト削減、医療スタッフの負荷低減のため、濾過された透析液を大量に用いる方式が広まっている。
【０００５】
プライミングロートは排液チューブに接続されているため、排液の量が増えたことによって、チューブ内部の空気がスムーズに排気されず、液体が栓のようにチューブを塞いでしまい、液体がロートから溢れてしまう恐れがあった。そこで、空気の排出路を確保することで排液をスムーズに行う必要がある。
【０００６】
また、生理食塩水に替えて透析液を使用することで、透析液の成分に由来する、排液ラインの構成部材への雑菌の繁殖や、炭酸カルシウムの沈着などが懸念されており、ロートの洗浄などの日常の手入れを頻繁に行う必要がある。
【０００７】
一般的なロートに関しては、空気の排出路を確保することで排液をスムーズに行う各種提案がなされている。例えば特許文献２には、空気抜きのための導管によって空気の密閉を防ぎ、液体の流れをスムーズにしたロートが開示されている。また特許文献３には、空気の排出を考慮した、内外二重の漏斗が開示されている。
【先行技術文献】
【特許文献】
【０００８】
【特許文献１】特開２０１４−０５０５０９号公報
【特許文献２】特開平０６−０８０１２１号公報
【特許文献３】実開昭５５−０４１３８９号公報
【発明の概要】
【発明が解決しようとする課題】
【０００９】
特許文献２に開示されるロートをプライミング工程の排液用チューブに接続した場合、チューブの内壁を伝わって落ちる液体が、容易に空気抜き用の導管の下端を塞いでしまい、空気抜きの機能を果たさず、ロートの排水性が損なわれる恐れがある。また、特許文献３に開示されるロートでは、血液浄化治療において日常的に必要な、ロート自体の洗浄作業を行うことが困難と考えられる。
【００１０】
そこで本発明の課題は、大量の排液をスムーズに行うとともに、日常的な洗浄作業も容易な排液ロートを提供することにある。
【課題を解決するための手段】
【００１１】
本発明に係る排液ロートは、排液を受ける内側ロートと、外側ロートと、前記内側ロートを前記外側ロートの内側に保持する保持具とから構成される排液ロートであって、
前記内側ロートが、前記排液を排出する内側管部と、該内側管部よりも大きい径を有する内側胴部と、前記内側管部から前記内側胴部に向けて拡径しつつ前記内側管部と前記内側胴部とを接続する内側拡径部とからなり、
前記外側ロートが、外側管部と、該外側管部よりも大きい径を有する外側胴部と、前記外側管部から前記外側胴部に向けて拡径しながら前記外側管部と前記外側胴部とを接続する外側拡径部とからなり、
前記内側胴部と前記外側胴部との間に隙間が形成されていることを特徴とするものからなる。
【００１２】
このような排液ロートによれば、内側および外側のロートと保持具からなる簡素な構造にて空気の排出路を確保し、スムーズに排液を行うことができる。
【００１３】
上記排液ロートにおいて、前記保持具が前記隙間の断面を覆うように構成されることが好ましい。すなわち保持具を内側胴部と外側胴部との間の隙間を覆う上蓋として機能させることにより、当該隙間から汚染物質が混入することを防止することができる。
【００１４】
上記排液ロートにおいて、前記外側胴部に通気孔が設けられていることが好ましい。かかる通気孔を設けることにより、空気の排出路を確保するばかりでなく、何らかの不具合によって主排液ラインや個別の排液ラインが閉塞して、液面が排液ロート内にまで上昇してしまうような場合には通気孔から液がオーバーフローするため、内側ロートの内側に保持される排液導入管（主にプライミングを施す血液回路の解放端部）の外周面が排液と接触することを防止できる。
【００１５】
上記排液ロートにおいて、前記内側ロートが、前記外側ロートと前記保持具との係合によって保持されていることが好ましい。また、前記内側ロートが、前記外側ロートの内側に着脱可能に保持されていることが好ましい。かかる係合を解除すれば、ロートと排液排出管を分離せずに、日々の手入れが要求される内側ロートを取り外して容易に洗浄することができ、また再びロートを組み立てる際の作業性も向上する。
【００１６】
上記排液ロートにおいて、前記内側管部と前記外側管部との間に複数の突起が設けられていることが好ましい。かかる突起を設けることにより、内側管部から排出される排液を所望の位置に落下させることができる。例えば、排液排出管を構成するチューブの中心付近に排液を落下させるために、複数の突起を内側ロートの外壁面や外側ロートの内壁面に設けて内側管部と外側管部を同心とするような突起配置とすることができる。
【００１７】
上記排液ロートにおいて、前記内側管部と前記外側管部とで挟まれる部分の断面積が、前記内側管部で囲まれる部分の断面積に等しいことが好ましい。すなわち、空気の排出路断面積と排水の排出路断面積が１：１であると、排液を最も効率的かつスムーズに排出することができる。
【００１８】
上記排液ロートにおいて、前記保持具が、前記排液を導入する排液導入管を前記内側ロートの内側に保持することが好ましい。このように排液導入管を保持することにより、排液を内側ロート上の所望の位置に落下させることができる。
【００１９】
上記排液ロートは、血液透析装置のプライミング工程のために利用することが好適であり、例えば、前記排液が、血液透析装置のプライミング工程で排出されるプライミング排液であり、前記内側管部から排出された前記排液が前記血液透析装置の主排液ラインに合流することが好ましい。
【発明の効果】
【００２０】
本発明に係る排液ロートによれば、簡素な構造にて空気の排出路を確保し、スムーズに排液を行うことができる
【図面の簡単な説明】
【００２１】
【図１】本発明の一実施態様に係る排液ロートの概略断面図である。
【図２】図１の排液ロートの管部の断面図であり、（Ａ）は突起を内側ロートの管部外壁に設けた例、（Ｂ）は突起を外側ロートの管部内壁に設けた例を示す。
【図３】図１の排液ロートの外観を示し、（Ａ）は正面図、（Ｂ）は右側面図、（Ｃ）は平面図である。
【図４】図１の排液ロートの分解状態を示す分解図であり、（Ａ）は保持具、（Ｂ）は内側ロート、（Ｃ）は外側ロートである。
【図５】図１の排液ロートを透析装置に固定した状態を示す模式図であり、（Ａ）は正面図、（Ｂ）は左側面図である。
【発明を実施するための形態】
【００２２】
以下に、本発明の望ましい実施の形態を、図面を参照して説明する。
図１は、本発明の一実施態様に係る排液ロートの概略断面図である。排液ロート１は内側ロート２と外側ロート３と保持具４から構成され、内側ロート２は外側ロート３と保持具４との係合部５によって外側ロート３に対しワンタッチで着脱可能に構成されている。
【００２３】
内側ロート２および外側ロート３は、小径の管部６と、大径の胴部７と、管部６から胴部７に向けて径を拡張しつつ管部６と胴部７とを接続する拡径部８をそれぞれ有しており、管部６の先端は排液排出管９に挿入されている。また、外側ロート３の胴部７の壁面には通気孔１０が設けられている。
【００２４】
内側ロート２の内側には、保持具４によって保持された排液導入管１１から排液が導入され、通常は内側ロート２の拡径部８の内面に落下した後、拡径部８に沿って管部６に向けて流下する。そして排液は内側ロート２の管部６から排液排出管９に流入するが、このとき管部６と排液排出管９の間は密封されているので、排液の流入によって排液排出管９内にあった空気が内側ロート２と外側ロート３の隙間に追い出され、管部６および拡径部８を経由して通気孔１０から排出される。このように排液排出管９から空気が逃がされることにより、排液を排液排出管９からスムーズに落下させることができる。
【００２５】
図２は、図１の排液ロートの管部の断面図であり、（Ａ）は突起１２を内側ロート２の管部外壁２ａに設けた例、（Ｂ）は突起１３を外側ロート３の管部内壁３ａに設けた例を示す。突起１２、１３はいずれも管部６の同心円上に配置されているので、排液排出管９の中心付近に排液が落下しやすくなっている。また、管部６における内側ロート２と外側ロート３の隙間の流路断面積は、管部６における内側ロート２の流路断面積とほぼ等しくなるように設計されている。例えば、当該隙間の流路断面積に対する内側ロート２の流路断面積の比率が管部６において０．８〜１．２５であることが好ましい。
【００２６】
図３は図１の排液ロートの外観を示し、（Ａ）は正面図、（Ｂ）は右側面図、（Ｃ）は平面図である。また、図４は図１の排液ロートの分解状態を示す分解図であり、（Ａ）は外側ロート、（Ｂ）は内側ロート、（Ｃ）は保持具である。排液ロート洗浄時には、係合部５の係合を解除することにより図４に示すように各部品へと分解する。
【００２７】
図５は、図１の排液ロートを透析装置に固定した状態を示す模式図であり、（Ａ）は正面図、（Ｂ）は左側面図である。排液ロート１は透析装置２１のサイドポール２２に取り付けられており、排液ロート１から排出された排液は透析装置２１の分岐排液ライン２３を構成する排液排出管９を経て主排液ライン２４に合流する。主排液ライン２４と分岐排液ライン２３の間には逆止弁２５が設けられ、主排液ラインを流れる排液が分岐排液ライン２３を逆流するのを防止している。
【産業上の利用可能性】
【００２８】
本発明に係る排液ロートは、血液透析装置のプライミング排液をはじめとする各種排液を受けて排液ラインに流入させるために広く利用可能である。
【符号の説明】
【００２９】
１  排液ロート
２  内側ロート
２ａ  内側ロートの管部外壁
３  外側ロート
３ａ  外側ロートの管部内壁
４  保持具
５  係合部
６  管部
７  胴部
８  拡径部
９  排液排出管
１０  通気孔
１１  排液導入管
１２、１３  突起
２１  透析装置
２２  サイドポール
２３  分岐排液ライン
２４  主排液ライン
２５  逆止弁
【図１】
2019013371.tif 000003
【図２】
2019013371.tif 000004
【図３】
2019013371.tif 000005
【図４】
2019013371.tif 000006
【図５】
2019013371.tif 000007